(57)【要約】【課題】電源コードの引き出し力がフィルタの除塵のための手段により重くなることのない電気掃除機を提供すること。【解決手段】集塵室３８ａの下流のプリーツフィルタ４８に接触してプリーツフィルタ４８に捕捉された塵埃を落下させる除塵手段としての振動付与手段４９が掃除機本体１内に設けられ、コードリール２５の回転を振動付与手段４９に伝達する回転力伝達手段５８が設けられている。また、電源コード３０をコード引出口２ｂから引き出す際には振動付与手段４９にコードリール２５の回転を伝達不能にし、且つ、電源コード３０をコードリール２５に捲回する際には振動付与手段４９に前記コードリール２５の回転を伝達可能にするワンウエイクラッチ６３を回転力伝達手段５８に設けている。この構成によれば、電源コード３０の引き出し時には電源コード３０を軽い力で引き出すことができる。【選択図】  図２
2004167066.tif 000002
【特許請求の範囲】
【請求項１】
集塵室及び該集塵室に吸込負圧を作用させる電動送風機が掃除機本体内に設けられ、前記電動送風機に電力を供給する電源コードを巻き取る方向に回転付勢されたコードリールが前記掃除機本体内に設けられ、前記電源コードが前記掃除機本体のコード引出口から外部に引き出し可能に前記コードリールに捲回されていると共に、前記集塵室と前記電動送風機のエア吸込口との間の風路にフィルタが配設され、前記フィルタに接触して前記フィルタに捕捉された塵埃を落下させる除塵手段が前記掃除機本体内に設けられ、前記除塵手段に回転を伝達する回転力伝達手段が設けられた電気掃除機であって、
前記電源コードを前記コード引出口から引き出す際には前記除塵手段に前記コードリールの回転を伝達不能にし、且つ、前記電源コードを前記コードリールに捲回する際には前記除塵手段に前記コードリールの回転を伝達可能にするワンウエイクラッチを前記回転力伝達手段に設けたことを特徴とする電気掃除機。
【請求項２】
請求項１に記載の電気掃除機において、前記集塵室側の風路と前記電動送風機側の風路とを区画する隔壁に前記風路の一部である連通口が形成され、前記集塵室側の風路に前記フィルタが配設されていると共に、
前記回転力伝達手段は、前記隔壁の軸挿通孔を貫通して一端部が前記集塵室側の風路に突出し且つ他端部が前記電動送風機側に突出する回転軸と、前記回転軸の一端部と前記除塵手段とを連動させる連動手段と、前記回転軸の他端部に回転可能に保持され且つ前記コードリールに連動する駆動回転体と、前記駆動回転体と前記隔壁との間に位置させて前記回転軸に軸線方向に移動可能に且つ相対回転不能に保持された従動回転体と、前記駆動回転体と従動回転体の対向部に設けられたワンウエイクラッチと、前記回転軸の外周に嵌合され且つ前記隔壁に当接させられて前記軸挿通孔と前記回転軸との間をシールしている環状シール部材と、前記従動回転体と前記環状シール部材との間に介装されて前記従動回転体を前記駆動回転体に押し付けると共に前記環状シール部材を前記隔壁に押し付けているスプリングを備えることを特徴とする電気掃除機。
【請求項３】
請求項１又は２に記載の電気掃除機において、前記集塵室の上流には慣性力により塵埃をエアから分離する塵埃分離部が設けられていることを特徴とする電気掃除機。
【発明の詳細な説明】
【０００１】
【発明の属する技術分野】
この発明は、電源コードのコードリールの回転を利用してフィルタを振動させて、フィルタに付着した塵埃を落とす様にした電気掃除機に関するものである。
【０００２】
【従来の技術】
従来の電気掃除機としては、メッシュ製の第１のフィルタとスポンジ製の第２のフィルタを集塵室と電動送風機との間の風路にこの順に配設すると共に、電動送風機に電力を供給するための電源コードを巻き取るコードリールを設け、このコードリールの回転に連動して回転する除塵体で第２のフィルタに付着した塵埃を掻き落とす様にしたものが知られている（例えば特許文献１参照）。
【０００３】
この電気掃除機では、掃除機本体からコードリールの電源コードを外部に引き出す際や、引き出した電源コードをコードリールに巻き戻す際に、コードリールが回転して、除塵体が第２のフィルタに付着した塵埃を掻き落とす様になっている。
【０００４】
ところで、この様な電気掃除機では、電源コードを巻き取る方向にコードリールがスプリングで回転付勢されていると共に、コードリールの回転を規制するブレーキが設けられているのが普通である。そして、このブレーキによるコードリールの回転規制を解除して、コードリールをスプリングのバネ力で回転させることにより、掃除機本体から外部に引き出した電源コードがコードリールに巻き取られる様になっている。
【０００５】
【特許文献１】
実開昭５５−７８０５０号公報
【０００６】
【発明が解決しようとする課題】
しかし、電源コードを引き出す際には、除塵体が第２のフィルタに接触して移動する際の摩擦力と、電源コードを巻き取るためのスプリングのバネ力とがコード引き出しに対する抵抗力として作用することとなる。
【０００７】
このため、電源コードの引き出しに際しては、その引き出し力が重くなるという問題がある。
【０００８】
そこで、この発明は、電源コードの引き出し力がフィルタの除塵のための手段により重くなることのない電気掃除機を提供することを目的とするものである。
【０００９】
【課題を解決するための手段】
この目的を達成するため、この発明の電気掃除機では、集塵室及び該集塵室に吸込負圧を作用させる電動送風機が掃除機本体内に設けられ、前記電動送風機に電力を供給する電源コードを巻き取る方向に回転付勢されたコードリールが前記掃除機本体内に設けられ、前記電源コードが前記掃除機本体のコード引出口から外部に引き出し可能に前記コードリールに捲回されている。また、この電気掃除機では、前記集塵室と前記電動送風機のエア吸込口との間の風路にフィルタが配設され、前記フィルタに接触して前記フィルタに捕捉された塵埃を落下させる除塵手段が前記掃除機本体内に設けられ、前記除塵手段に回転を伝達する回転力伝達手段が設けられている。更に、電気掃除機では、前記電源コードを前記コード引出口から引き出す際には前記除塵手段に前記コードリールの回転を伝達不能にし、且つ、前記電源コードを前記コードリールに捲回する際には前記除塵手段に前記コードリールの回転を伝達可能にするワンウエイクラッチを前記回転力伝達手段に設けている。
【００１０】
【発明の実施の形態】
以下、この発明の実施の形態を図面に基づいて説明する。
［構成］
図１（ａ），図２において、１は電気掃除機の掃除機本体である。この掃除機本体１は、図２に示したように下ケース２と、下ケース２の上に取り付けられた中ケース３と、中ケース３の後部を覆うように下ケース２及び中ケース３上に取り付けられた上ケース４と、中ケース３の前端部に上下回動可能に取り付けられたカバー５を有する。
【００１１】
また、図１（ａ）において、６はカバー５の前端部に設けられた接続パイプ部、７は一端部が接続パイプ部６に接続された可撓性で蛇腹状の集塵ホース、８は集塵ホース７の他端部に取り付けられた手元操作パイプである。この手元操作パイプ８には、延長パイプ９を介して吸込口体１０が接続されている。８ａは手元操作パイプ８に設けられた操作パネルである。
【００１２】
更に、下ケース２と上ケース４との間は、図２に示したように中ケース３の仕切壁部３ａにより上部の送風機室１１と下部のコードリール室１２とに区画されている。この送風機室１１の前端は、前側に開放していると共に、この開放端に取り付けられた端壁（前壁）である格子板（隔壁）１３により閉成されている。しかも、送風機室１１は、図１に示したように上ケース４の側壁４ａに形成した多数の排気孔１４を介して大気と連通している。
【００１３】
この格子板１３の上部には、図２に示したように送風機室１１内に突出するファン支持用の筒部１５が設けられていると共に、筒部１５に連通する格子部１６が設けられている（図９〜図１１参照）。この筒部１５の両側部には図１１に示したように上下に延びる平坦なガイド側壁１５ａ，１５ａが設けられていて、筒部１５は小判形状に形成されている。１６ａは格子部１５に設けられた連通風路（吸込風路）である。また、格子板１３の下部には、後方に突出する小径の筒部１３ａが一体に形成されていると共に、筒部１３ａに同心に開口する軸挿通孔１３ｂが形成されている。
【００１４】
そして、送風機室１１内には図２に示したように電動送風機１７が配設されている。この電動送風機１７は、前側の遠心ファン部１８と、遠心ファン部１８を駆動するモータ部１９を有する。１８ａは遠心ファン部１８のエア吸込口、１９ａはモータ部１９の排気口である。この遠心ファン部１８は環状の弾性部材（緩衝部材）２０を介して中ケース３内に支持され、弾性部材２０は筒部１５の端面に当接支持させられている。これにより遠心ファン部１８は、エア吸込口１８ａが筒部１５内に開口して、格子部１６との間に吸込風路としての負圧室２１を形成している。
【００１５】
また、図２に示したように、コードリール室１２内には支持軸２２が上下に向けて配設され、支持軸２２の上端部には図示しないターミナルリング用の取付板２３及びそのカバー２４が固定されている（図１３参照）。この取付板２３及びカバー２４は仕切壁１０に取り付けられて、支持軸２２の上端部を仕切壁１０に保持している。また、支持軸２２の下端部は下ケース２の底壁２ａに取り付けられている。
【００１６】
この支持軸２２には、図１０〜図１３に示したようなコードリール２５が図２の如く水平回転自在に取り付けられている。このコードリール２５は、図示を省略した渦巻バネ等の回転付勢手段で一方向（コード巻取方向）に回転付勢されている。
【００１７】
このコードリール２５は、コード巻き取り用のドラム部２６と、ドラム２６の両端部（上下端部）に設けられた上フランジ２７及び下フランジ２８を有する。この上フランジ２７の上面の周縁部には周方向に多数の歯を環状に配列した大径の駆動ギヤ２９が設けられている。このコードリール２５には、電動送風機１７に駆動電力を供給する電源コード３０が上述した回転付勢手段の回転付勢力により巻き取り捲回されている。この電源コード３０は図１（ｂ）に示したように下ケース２の後部に設けられたコード引出口２ｂから外部に引き出し可能に設けられている。
【００１８】
また、取付板２３には、図１１に示したようなブレーキ装置３１が取り付けられている。このブレーキ装置３１は、取付板２３の支持軸２３ａに水平回動可能に保持されたブレーキアーム３２と、このブレーキアーム３２の自由端部に取り付けられた図示しないブレーキローラ（図示せず）と、ブレーキアーム３２を回動付勢してブレーキローラを上フランジ２７の周面に圧接させるスプリングを有する。
【００１９】
このブレーキ装置３１では、通常、ブレーキアーム３２を回動付勢しているスプリングのバネ力とコードリール２５を回転付勢している回転付勢手段のバネ力とにより、ブレーキローラがブレーキアーム３２と上フランジ２７との間に楔状に食い込むことで、コードリール２５の回転がロックされるようになっている。そして、このブレーキ装置３１では、下ケース２から後方に引き出し可能に設けられた電源コード３０を引いて、コードリール２５をその回動付勢手段のバネ力に抗して回転させることにより、ブレーキローラがコードリール２５の回転方向に僅かに移動させられて、ブレーキローラがブレーキアーム３２と上フランジ２７との間に楔状に食い込んだ状態が解除されることにより、ブレーキローラの上フランジ２７への圧接状態が解除される様になっている。尚、電源コード３０から引き出し力を解除すると、コードリール２５が回転付勢手段により電源コード３０を巻き取る方向に僅かに回転して、ブレーキローラがブレーキアーム３２と上フランジ２７との間に楔状に食い込んでロックし、コードリール２５の回転を停止させ、電源コード３０を引き出した状態にするようになっている。このブレーキ装置３１の構成としては周知のもの例えば特開平６−４６９７４号公報に開示された様なものが採用できる。
【００２０】
更に、掃除機本体１には、上ケース４の前端部に所定範囲内で上下動自在に装着されて、上ケース４の上面から上方に所定量だけ引き出し自在なハンドル３３が設けられている。このハンドル３３は、上部の円弧状の握り部３４と、握り部３４の両端部に下方に向けて一体に連設したガイド部３５，３５から逆Ｕ字状に形成されている。尚、このガイド部３５，３５は、格子板１３の筒部１５に設けたガイド側壁１５ａ，１５ａの両側に配設されて、上下動可能に設けられている。
【００２１】
そして、一方のガイド部３５の下端部には、前側上方に向けて傾斜する傾斜カム面３５ｂが形成されている。この傾斜カム面３５ｂは、ブレーキアーム３２に上方から係合していて、ハンドル３３を下方に押し下げたときに、ブレーキアーム３２を支持軸２３ａを中心にスプリング（図示せず）のバネ力に抗して格子壁１３側に回動させて、図示しないブレーキローラを上フランジ２７から離反させ、コードリール２５のロック状態を解除するようになっている。これにより、コードリール２５は、回動付勢手段により電源コード３０を巻き取る方向に回転させられるようになっている。
【００２２】
更に、図２において、中ケース３の前側への延設部３ｂには凹部３６が形成されている（図１（ｂ）参照）。この凹部３６には図２に示したように集塵容器３７が嵌合載置されている。この集塵容器３７はケース本体３８を有する。このケース本体３８の下部には下方に開放する集塵室３８ａが設けられ、ケース本体３８の上部には後端に開放する負圧室３８ｂが設けられ、ケース本体３８の上部前端には負圧室３８ｂに連通する吸込口３８ｃが設けられている。この吸込口３８ｃは接続パイプ部６に連通している。
【００２３】
また、集塵容器３７は、ケース本体３８と一体の把手３９と、集塵室３８ａの下方への開口端を開閉する底蓋４０と、負圧室３８ｂ内に配設された塵埃分離手段４１を塵埃分離部として有する。この塵埃分離手段４１は、後方に向けて円錐状に縮径し且つ負圧室３８ｂへの開口４２ａを有する筒部４２と、筒部４２の内面に固着されて開口４２ａを覆っているネットフィルタ４３と、筒部４２の後端に連設されて集塵室３８ａに連通する筒部４４を有する。また、集塵室３８ａの上壁４５には集塵室３８ａと負圧室３８ｂを連通させる排気口４６が形成され、排気口４６にはネットフィルタ４７が取り付けられている。
【００２４】
更に、負圧室３８ｂの後端部内には、図６に示したような波形状のプリーツフィルタ４８が着脱可能に嵌着されている。このプリーツフィルタ４８の下端部と集塵室３８ａを形成している壁部３８ｄとの間には、プリーツフィルタ４８から掻き落とされる塵埃を捕集させる集塵空間３８ｅが形成されている。このプリーツフィルタ４８の後方（エア流の下流側）には、図２に示したようにプリーツフィルタ４８に付着した塵埃を落とすための除塵手段としての振動付与手段４９が配設されている（図９，図１０，図１２，図１３参照）。この振動付与手段４９は、格子板１３とプリーツフィルタ４８との間に配設した大径のギヤ５０を有する。このギヤ５０は、格子板１３に支持軸５１ａで回転自在に支持されたボス５１と、ボス５１と一体に且つ放射状に設けられた複数のアーム５２と、複数のアーム５２と一体に設けられた環状ギヤ部５３と、ボス５１と環状ギヤ部５３との間の中間に位置してアーム５２と一体に設けられた環状支持部５４と、アーム５２と環状支持部５４の交差部に図８の如く突設された突起５５を有する。
【００２５】
また、振動付与手段４９は、図８に示したように突起５５に外周面に基端部が圧入嵌着されたコイルスプリング５６と、コイルスプリング５６の自由端部に嵌着された係合子５７を有する（図２，図７，図９，図１０，図１２，図１３参照）。この係合子５７は、先端に向かうに従って徐々に縮径するテーパ状に形成され、先端部が球状に形成されている。また、係合子５７は、プリーツフィルタ４８の波形部の山部４８ａ，４８ａ間に浅く係合している。
【００２６】
更に、ギヤ５０は、図３に示したように回転力伝達手段５８でコードリール２５に連動している。この回転力伝達手段５８は、格子板１３の筒部１３ａ及び軸挿通孔１３ｂを貫通して一端部が前記集塵室側の風路に突出し且つ他端部が送風機室１１（電動送風機１７側）に突出する回転軸５９と、回転軸５９の一端部に固定され且つギヤ５０の環状ギヤ部５３に噛合するピニオン（連動手段である小径のギヤ）６０と、回転軸５９の他端部に回転可能に保持され且つ軸線方向に移動不能保持された駆動回転体としてのピニオン（小径のギヤ）６１を有する。このピニオン６１は、コードリール２５の駆動ギヤ２９に噛合して、コードリール２５に連動するようになっている。図３，図４において、５９ａは、回転軸５９の周面に形成された軸線と平行な方向に延びるガイド凸部である。尚、ピニオン６０は、軸挿通孔６０に嵌合するボス６０ａを有する（図３，図５参照）。
【００２７】
また、回転力伝達手段５８は、ピニオン６０と格子板１３との間に位置させて回転軸５９のガイド凸部５９ａが設けられた部分に嵌合された筒状の従動回転体６２を有する。これにより、従動回転体６２は、軸線方向に移動可能に且つ相対回転不能に回転軸５９に保持されている。更に、回転力伝達手段５８は、ピニオン６１と従動回転体６２の対向部に設けられたワンウエイクラッチ６３を有する。このワンウエイクラッチ６３は、ピニオン６１に設けられたラチェット爪６４と、従動回転体６２に設けられ且つラチェット爪６４に係合するラチェット爪６５と、ラチェット爪６５をラチェット爪６４に押し付けているコイルスプリング６６を備えている。
【００２８】
しかも、このワンウエイクラッチ６３は、電源コード３０を引き出す方向にコードリール２５を回転させるとき、コイルスプリング６６のバネ力に抗して従動回転体６２がピニオン６１から離反する方向に回転軸５９上を移動させられて、ラチェット爪６４がラチェット爪６５を乗り越えることにより、ラチェット爪６４，６５同士が相対回転するようになっている。また、ワンウエイクラッチ６３は、コードリール２５が電源コード３０を巻き取る方向に回転する際、ラチェット爪６４，６５同士が互いに係止されてピニオン６１と従動回転体６２が一体に回転する様になっている。
【００２９】
更に、回転力伝達手段５８は、回転軸５９の外周に嵌合され且つ格子板１３に当接させられて軸挿通孔１３ｂと回転軸５９との間をシールしている環状シール部材６７を有する。この環状シール部材６７と従動回転体６２との間には上述したコイルスプリング６６が介装されていて、このコイルスプリング６６は環状シール部材６７を格子板１３に押し付けていると共に、従動回転体６２のラチェット爪６５をピニオン６１のラチェット爪６５に押し付けている。この際、環状シール部材６７は、軸挿通孔１３ｂとピニオン６０のボス部６０ａとの間に跨って押し付けられることにより、回転軸５９と軸挿通孔１３ａとの間を間接的にシールしている。
［作用］
次に、この様な構成の電気掃除機の作用を説明する。
【００３０】
この様な構成においては、ブレーキアーム３２を回動付勢しているスプリングのバネ力とコードリール２５を回転付勢している回転付勢手段のバネ力とにより、ブレーキローラがブレーキアーム３２と上フランジ２７との間に楔状に食い込むことで、コードリール２５の回転がロックされている。
【００３１】
また、電源コード３０を掴んで引っ張ることにより、下ケース２から後方に引き出し可能に設けられた電源コード３０を引いて、コードリール２５をその回動付勢手段のバネ力に抗して回転させることにより、ブレーキローラがコードリール２５の回転方向に僅かに移動させられて、ブレーキローラがブレーキアーム３２と上フランジ２７との間に楔状に食い込んだ状態が解除され、ブレーキローラの上フランジ２７への圧接状態が解除される。
【００３２】
この状態で更に電源コード３０を引っ張ることにより、電源コード３０を引き出す方向にコードリール２５を回転させると、この回転に伴い駆動ギヤ２９がピニオン６１を回転させる。この回転に伴い、ピニオン６１のラチェット爪６４が従動回転体６２のラチェット爪６５を乗り越えるように作用して、従動回転体６２がコイルスプリング６６のバネ力に抗してピニオン６１から離反する方向に回転軸５９上を移動させられ、ラチェット爪６４，６５同士が相対回転する。
【００３３】
これにより、電源コード３０の引き出しに際しては、電源コード３０を巻き取る方向にコードリール２５を回転付勢している渦巻バネ等の回転付勢手段によるバネ力のみが抗力として電源コード３０に作用している状態となる。従って、電源コード３０の引き出し操作は軽い力で行うことができる。
【００３４】
この様にして電源コード３０をある程度引き出した後、電源コード３０から引き出し力を解除すると、コードリール２５が回転付勢手段により電源コード３０を巻き取る方向に僅かに回転して、ブレーキローラがブレーキローラがブレーキアーム３２と上フランジ２７との間に楔状に食い込んでロックし、コードリール２５の回転を停止させ、電源コード３０を引き出した状態にする。この電源コード３０のプラグ３０ａを図示しない商用電源のコンセントに差し込むことで、電動送風機１７に駆動電力を供給可能な状態となる。
【００３５】
この状態で、手元操作パイプ８の操作パネル８ａを操作して、電動送風機１７を駆動させると、電動送風機１７の吸込負圧が負圧室２１，連通風路１６ａ，ギヤ５０のアーム５２間及びプリーツフィルタ４８を介して負圧室３８ｂに作用する。そして、この負圧室３８ｂに作用する吸込負圧は、ネットフィルタ４３を介して吸込口３８ｃに作用すると共に、ネットフィルタ４７，集塵室３８ａを介して吸込口３８ｃに作用する。この吸込口３８ｃに作用する吸込負圧は、集塵ホース７，手元操作パイプ８及び延長パイプ９を介して吸込口体１０に作用する。
【００３６】
これにより、吸込口体１０に塵埃を含むエア（空気）が吸い込まれて、この吸い込まれたエア及び塵埃は、延長パイプ９，手元操作パイプ８及び集塵ホース７を介して吸込口３８ｃに吸い込まれた後、筒部４２内に流入する。
【００３７】
この吸い込まれるエアの一部はネットフィルタ４３を透過して負圧室３８ｂに流入する。この際、エアに含まれる軽い塵埃はネットフィルタ４３に捕捉される。一方、筒部４２内に流入するエアに含まれる塵埃は、大半が慣性力により残りのエアと共に直進した後、筒部４４を介して集塵室３８ａ内に流下させられる。そして、集塵室内３８ａ内に流入したエアは、旋回流となり集塵室３８ａに流入する塵埃を遠心力（慣性力）により分離すると共に集塵室３８ａの底部側に圧縮させる。この塵埃を圧縮したエアは、ネットフィルタ４７を透過して負圧室３８ｂ内に流入する。
【００３８】
この様な状態で、ネットフィルタ４３にある程度の塵埃が捕捉され、ネットフィルタ４３を透過して負圧室３８ｂ内に流入するエアの量が減少すると、筒部４４を介して集塵室３８ａ内に流入するエアの量が増大する。このエア流れは、ネットフィルタ４３に付着してある程度塊となった塵埃をネットフィルタ４３から剥離し、ネットフィルタ４３の目詰まり状態を解消する。この剥離された塵埃は集塵室３８ａ内に捕集される。
【００３９】
この負圧室３８ｂ内に流入したエアは、プリーツフィルタ４８をギヤ５０側に透過した後，ギヤ５０のアーム５２間，連通風路１６ａ及び負圧室２１を介して電動送風機１７の遠心ファン部１８に設けたエア吸込口１８ａに吸い込まれる。このエアがプリーツフィルタ４８を透過する際、プリーツフィルタ４８には微細な塵埃及びこれより大きい塵埃が多少捕捉されることになる。そして、遠心ファン部１８に吸い込まれたエアは、モータ部１９内を流れて内部を冷却し、排気口１９ａから送風機室１１内に排気され、上ケース３の側壁３ａに設けた多数の排気孔１４から掃除機本体１外の大気に排気される。
【００４０】
この様にして清掃が終了後は、操作パネル８ａを操作して電動送風機１７を停止させると共に、電源コード３０を図示しないコンセントから取り外して、ハンドル３３を下方に押し下げると、ハンドル３３に設けた傾斜カム面１５ｂがブレーキアーム３２を支持軸２３ａを中心にスプリング（図示せず）のバネ力に抗して格子壁１３側に回動させて、図示しないブレーキローラを上フランジ２７から離反させ、コードリール２５のロック状態を解除する。
【００４１】
これにより、コードリール２５は、回動付勢手段により電源コード３０を巻き取る方向に回転させられ、電源コード３０をコードリール２５に捲回する。この際、ラチェット爪６４，６５同士が互いに係止されてピニオン６１と従動回転体６２が一体に回転する。
【００４２】
この従動回転体６２の回転は、回転軸５９，ピニオン６０を介してギヤ５３に伝達され、ギヤ５３が支持軸５１ａを中心に回転させられる。このギヤ５３の回転に伴い、係合子５７がコイルスプリング５６を撓めるようにしてプリーツフィルタ４８の山部４８ａを乗り越えながら移動し、プリーツフィルタ４８に振動が発生させられる。この振動により、プリーツフィルタ４８の前面側に捕捉され付着した塵埃が掻き落とされ様に下方に落下して集塵空間３８ｅに捕集される。
【００４３】
以上説明したように、この発明の実施の形態の電気掃除機では、集塵室３８ａ及び該集塵室３８ａに吸込負圧を作用させる電動送風機１７が掃除機本体１内に設けられ、前記電動送風機１７に電力を供給する電源コード３０を巻き取る方向に回転付勢されたコードリール２５が前記掃除機本体１内に設けられ、前記電源コード３０が前記掃除機本体１のコード引出口２ｂから外部に引き出し可能に前記コードリール２５に捲回されている。また、前記集塵室３８ａと前記電動送風機１７のエア吸込口１８ａとの間の風路にフィルタ（プリーツフィルタ４８）が配設され、前記フィルタ（プリーツフィルタ４８）に接触して前記フィルタ（プリーツフィルタ４８）に捕捉された塵埃を落下させる除塵手段（振動付与手段４９）が前記掃除機本体１内に設けられ、前記コードリール２５の回転を前記除塵手段（振動付与手段４９）に伝達して前記フィルタ（プリーツフィルタ４８）に回転を伝達する回転力伝達手段５８が設けられている。更に、前記電源コード３０を前記コード引出口２ｂから引き出す際には前記除塵手段（振動付与手段４９）に前記コードリール２５の回転を伝達不能にし、且つ、前記電源コード３０を前記コードリール２５に捲回する際には前記除塵手段（振動付与手段４９）に前記コードリール２５の回転を伝達可能にするワンウエイクラッチ６３を前記回転力伝達手段５８に設けている。
【００４４】
この構成によれば、電源コード３０の引き出し時には電源コード３０を軽い力で引き出すことができる。
【００４５】
尚、この発明の実施の形態では、フィルタ（プリーツフィルタ４８）に捕捉された塵埃を落下させる除塵手段として回転によりフィルタ（プリーツフィルタ４８）に振動を付与する振動付与手段４９を用いた例を示したが、必ずしもこれに限定されるものではない。
【００４６】
例えばフィルタ（プリーツフィルタ４８）の前面に接触して回転するブラシ（塵埃掻き落とし部材）を除塵手段として設けて、このブラシにコードリール２５からの回転を回転力伝達手段５８により伝達させて、このブラシを回転させることにより、ブラシによりフィルタ（プリーツフィルタ４８）の前面に付着した塵埃を回転するブラシするブラシにより直接掻き落とすようにしても良い。
【００４７】
また、このブラシは上下動してフィルタ前面の塵埃を掻き落とすように構成しても良い。このフィルタが波形状のプリーツフィルタである場合には、ブラシがプリーツフィルタの波形状の山や谷まで接触して塵埃を掻き落とすことができる。
【００４８】
また、この発明の実施の形態の電気掃除機では、前記集塵室３８ａ側の風路（負圧室３８ｂ）と前記電動送風機１７側の風路（負圧室２１）とを区画する隔壁（格子板１３）に前記風路の一部である連通口（連通風路１６ａ）が形成され、前記集塵室側の風路（負圧室２１）に前記フィルタ（プリーツフィルタ４８）が配設されている。また、前記回転力伝達手段４９は、前記隔壁（格子板１３）の軸挿通孔１３ｂを貫通して一端部が前記集塵室３８ａ側の風路に突出し且つ他端部が前記電動送風機１７側に突出する回転軸５９と、前記回転軸５９の一端部と前記除塵手段（振動付与手段４９）とを連動させる連動手段（ピニオン６０）を有する。しかも、前記回転力伝達手段４９は、前記回転軸５９の他端部に回転可能に保持され且つ前記コードリール２５に連動する駆動回転体（ピニオン６１）と、前記駆動回転体（ピニオン６１）と前記隔壁（格子板１３）との間に位置させて前記回転軸５９に軸線方向に移動可能に且つ相対回転不能に保持された従動回転体６２と、前記駆動回転体と従動回転体の対向部に設けられたワンウエイクラッチ６３を有する。更に、前記回転力伝達手段４９は、前記回転軸５９の外周に嵌合され且つ前記隔壁（格子板１３）に当接させられて前記軸挿通孔１３ｂと前記回転軸５９との間をシールしている環状シール部材６７と、前記従動回転体６２と前記環状シール部材６７との間に介装されて前記従動回転体６２を前記駆動回転体（ピニオン６１）に押し付けると共に前記環状シール部材を６７前記隔壁（格子板１３）に押し付けているスプリング（コイルスプリング６６）を備える。
【００４９】
この構成によれば、ワンウエイクラッチ６３を押しているスプリング（コイルスプリング６６）を用いて、回転軸５９と隔壁（格子板１３）の軸挿通孔１３ｂとの間をシールしている環状シール部材６７を隔壁（格子板１３）に押し付けているので、少ない部品で回転軸５９と隔壁（格子板１３）の軸挿通孔１３ｂとの間のシール性を向上させることができる。
【００５０】
更に、この発明の実施の形態の電気掃除機には、前記集塵室３８ａの上流には慣性力により塵埃をエアから分離する塵埃分離部（塵埃分離手段４１）が設けられている。
【００５１】
この構成によれば、紙パックフィルタを用いた電気掃除機では、紙パックフィルタにより微細な塵埃まで捕捉されるので、紙パックフィルタの下流に設けられるプリーツフィルタのメインテナンスを行う必要性が殆どない。しかし、慣性力により塵埃をエアから分離するタイプのこの発明の電気掃除機では、微細な塵埃及びこれより大きい塵埃の一部が集塵室に捕集できずに集塵室の下流側に流れる。このため、集塵室の下流のフィルタ（プリーツフィルタ４８）に捕捉されて付着する塵埃を定期的に落とす必要があり、電源コード３０のコードリール２５の回転を利用してフィルタ（プリーツフィルタ４８）を振動させて、フィルタ（プリーツフィルタ４８）に付着した塵埃を落とすことにより、フィルタ（プリーツフィルタ４８）のメインテナンスをする必要がなくなる。
【００５２】
【発明の効果】
以上説明したように、この発明は、電源コードをコード引出口から引き出す際には振動付与手段にコードリールの回転を伝達不能にし、且つ、電源コードをコードリールに捲回する際には振動付与手段にコードリールの回転を伝達可能にするワンウエイクラッチを回転力伝達手段に設けているので、電源コードの引き出し時には電源コードを軽い力で引き出すことができる。
【図面の簡単な説明】
【図１】（ａ）はこの発明に係る電気掃除機の概略斜視図、（ｂ）は（ａ）の掃除機本体の集塵容器及びカバーを取り外した状態の拡大斜視図である。
【図２】図１（ａ）の掃除機本体の断面図である。
【図３】図２の回転力伝達手段の拡大説明図である。
【図４】図３のＡ１−Ａ１線に沿う断面図である。
【図５】図３のＡ２−Ａ２線に沿う断面図である。
【図６】図２のプリーツフィルタの斜視図である。
【図７】図２のプリーツフィルタと振動付与手段（除塵手段）の係合子との関係を示す部分拡大斜視図である。
【図８】図２のプリーツフィルタと振動付与手段の係合子との関係を示す部分拡大断面図である。
【図９】図２のプリーツフィルタへの振動付与手段を斜め前側から見た斜視図である。
【図１０】図２の振動付与手段とコードリールの関係を示す斜視図である。
【図１１】図１０の振動付与手段とコードリールの関係を後側から見た斜視図である。
【図１２】図１０の振動付与手段とコードリールの関係を斜め後側から見た斜視図である。
【図１３】図１０の振動付与手段とコードリール等の分解斜視図である。
【符号の説明】
１・・・掃除機本体
２ｂ・・・コード引出口
１３・・・格子板（隔壁）
１３ｂ・・・軸挿通孔
１６ａ・・・連通風路（連通口）
１７・・・電動送風機
１８ａ・・・エア吸込口
２１・・・負圧室２１（風路）
２５・・・コードリール
３０・・・電源コード
３８ａ・・・集塵室
３８ｂ・・・負圧室（風路）
４１・・・塵埃分離手段（塵埃分離部）
４８・・・プリーツフィルタ（フィルタ）
４９・・・振動付与手段（除塵手段）
５９・・・回転軸
６０・・・ピニオン（連動手段）
６１・・・ピニオン（駆動回転体）
６２・・・従動回転体
６３・・・ワンウエイクラッチ
６６・・・コイルスプリング（スプリング）
６７・・・環状シール部材
【図１】
2004167066.tif 000003
【図２】
2004167066.tif 000004
【図３】
2004167066.tif 000005
【図４】
2004167066.tif 000006
【図５】
2004167066.tif 000007
【図６】
2004167066.tif 000008
【図７】
2004167066.tif 000009
【図８】
2004167066.tif 000010
【図９】
2004167066.tif 000011
【図１０】
2004167066.tif 000012
【図１１】
2004167066.tif 000013
【図１２】
2004167066.tif 000014
【図１３】
2004167066.tif 000015